(57)【要約】【課題】伸縮パイプの意匠性を確保しながら、がたつきが少なく扱い易い電気掃除機を提供する。【解決手段】電動送風機を備えた掃除機本体部１０と、略円筒状の伸縮パイプ２０によって連結され、前記本体部１０に対して伸縮自在に取り付けられたハンドル部３０と、を有し、前記掃除機本体部において前記伸縮パイプ２０を収納可能なパイプケース部１３には、前記伸縮パイプ２０が貫通し、前記パイプケース部１３の内部で前記伸縮パイプ２０の伸縮動作に伴って前記伸縮パイプ２０の略軸方向に移動する、パイプリング２６を備える。【選択図】図７
2016150172.tif 000002
【特許請求の範囲】
【請求項１】
電動送風機を備えた掃除機本体部と、略円筒状の伸縮パイプによって連結され、前記本体部に対して伸縮自在に取り付けられたハンドル部と、を有し、前記掃除機本体部において前記伸縮パイプを収納可能なパイプケース部には、前記伸縮パイプが貫通し、前記パイプケース部の内部で前記伸縮パイプの伸縮動作に伴って前記伸縮パイプの略軸方向に移動する、略円環状の部品を備えることを特徴とする電気掃除機。
【請求項２】
前記伸縮パイプは、少なくとも一部が金属材料で形成されることを特徴とする請求項１に記載の電気掃除機。
【請求項３】
前記円環状の部品の中心軸は、前記伸縮パイプの伸縮状態によって、前記伸縮パイプの中心軸に対し傾くことを特徴とする請求項１に記載の電気掃除機。
【請求項４】
前記円環状の部品における前記伸縮パイプと当接する面の少なくとも一部は、布状の材料で形成されることを特徴とする請求項１に記載の電気掃除機。
【発明の詳細な説明】
【技術分野】
【０００１】
本発明は、電気掃除機に関する。
【背景技術】
【０００２】
一般的にスティック型の電気掃除機は、電動送風機を有し、吸口から吸い込んだ含塵空気を掃除機本体に導き、この掃除機本体内の集塵装置を通して除塵し、除塵によって清浄された空気を掃除機本体外に排気する構成となっている。
【０００３】
特許文献１には、掃除機本体にハンドル伸縮パイプを有し、ハンドル伸縮パイプ対して伸縮自在に取り付けられたハンドルを有する操作性の良い電気掃除機が記載されている。
【０００４】
特許文献１に記載の発明では、伸縮パイプの断面は対称の２面の平面を有する円状の形状とし、平面のうち片側はパイプの軸方向に対して凹凸形状を有し、ハンドル内の伸縮パイプ収納部に伸縮パイプの凹凸部平面をばねで押さえる構造とすることで、伸縮パイプを所定の位置に固定でき、さらに伸縮パイプの本体に対するがたつきを防止している。
【先行技術文献】
【特許文献】
【０００５】
【特許文献１】特許第４９１９７５１号公報
【発明の概要】
【発明が解決しようとする課題】
【０００６】
しかしながら、特許文献１の発明では、伸縮パイプの断面が平面を持たない略真円形状や、伸縮パイプの太さが十分に確保できない場合、伸縮パイプをばねで押さえる構造を構成できず、伸縮パイプ収納部に製造上発生する、伸縮パイプ収納部の内壁の勾配と伸縮パイプとの隙間が発生し、伸縮パイプと伸縮パイプ収納部のがたつきが大きくなり、取扱い性が悪化する恐れがある。
【０００７】
本発明は、伸縮パイプの意匠性を確保しながら、がたつきが少なく扱い易い電気掃除機を提供することを目的とする。
【課題を解決するための手段】
【０００８】
本発明は、電動送風機を備えた掃除機本体部と、略円筒状の伸縮パイプによって連結され、掃除機本体部に対して伸縮自在に取り付けられたハンドル部と、を有し、掃除機本体部において前記伸縮パイプを収納可能なパイプケース部には、伸縮パイプが貫通し、パイプケース部の内部で伸縮パイプの伸縮動作に伴って伸縮パイプの略軸方向に移動する、略円環状の部品を備えることを特徴とする。
【０００９】
更に、伸縮パイプは、少なくとも一部が金属材料で形成されることを特徴とする。
【００１０】
更に、円環状の部品の中心軸は、伸縮パイプの伸縮状態によって、伸縮パイプの中心軸に対し傾くことを特徴とする。
【００１１】
更に、円環状の部品における伸縮パイプと当接する面の少なくとも一部は、布状の材料で形成されることを特徴とする。
【発明の効果】
【００１２】
本発明によれば、伸縮パイプの意匠性を確保しながら、がたつきが少なく扱い易い電気掃除機を提供できる。
【００１３】
更に、伸縮パイプは、少なくとも一部が金属材料で形成されることにより、伸縮パイプの強度が強く壊れにくい電気掃除機を提供できる。
【００１４】
更に、円環状の部品の中心軸は、伸縮パイプの伸縮状態によって、伸縮パイプの中心軸に対し傾くことにより、伸縮パイプ伸縮時の摺動性を確保しながら、伸縮パイプ固定時はがたつきが少なく扱い易い電気掃除機を提供できる。
【００１５】
更に、円環状の部品における伸縮パイプと当接する面の少なくとも一部は、布状の材料で形成されることにより、伸縮パイプが傷つきにくい電気掃除機を提供できる。
【図面の簡単な説明】
【００１６】
【図１】電気掃除機をスティック型として使用する際の全体を示す斜視図である。
【図２】電気掃除機をハンディ型として使用する際の全体を示す左側面図である。
【図３】図２に示す掃除機本体の中央断面図である。
【図４】図１のＡ方向矢視図である。
【図５】図２のＢ−Ｂ断面図を示し、伸縮パイプのロック状態である。
【図６】図２のＢ−Ｂ断面図を示し、伸縮パイプのロック解除状態である。
【図７】図３のＣ部詳細図を示し、伸縮パイプの伸ばし状態である。
【図８】図９のＤ−Ｄ断面図である。
【図９】図９のＥ−Ｅ断面図である。
【図１０】図３のＣ部詳細図を示し、伸縮パイプの縮み状態である。
【図１１】図７のＦ方向矢視図である。
【図１２】パイプリングの斜視図である。
【発明を実施するための形態】
【００１７】
以下、本発明を実施するための形態（以下「実施形態」という）について、適宜図面を参照しながら詳細に説明する。なお、以下では、図１に示す前後上下左右方向を基準として説明する。
【００１８】
図１は電気掃除機をスティック型として使用する際の全体を示す外観斜視図である。
【００１９】
図１に示すように、電気掃除機１００は、掃除機本体１およびダストケース２（集塵装置）を備えて構成されている。なお、図１では、電気掃除機１００に吸口体３を取り付けた場合を示しているが、応用吸口体４などに適宜切り替えて使用できる。
【００２０】
掃除機本体１は、本体部１０、伸縮パイプ２０および回転ハンドル３０を備えて構成されている。ダストケース２および吸口体３は、掃除機本体１に着脱自在に取り付けられる。吸口体３は、パワーブラシ式のものである。
【００２１】
本体部１０は、モータケース部１１、蓄電池ケース部１２およびパイプケース部１３を備えている。また、本体部１０には、ダストケース２が着脱自在に取り付けられるとともに、吸口体３から吸い込まれた塵挨を含む空気をダストケース２に送り込む導入路１４を備えている。
【００２２】
モータケース部１１には電動送風機４０（図３参照）が内包され、蓄電池ケース部１２には蓄電池６０（図３参照）が内包され、パイプケース部１３には伸縮パイプ２０が内包される。
【００２３】
掃除機本体１の前端には、吸口体着脱ボタン１６が設けられている。この吸口体着脱ボタン１６を押下することで吸口体３の取り外しが可能となる。
【００２４】
伸縮パイプ２０は、掃除機本体１に設けられたパイプケース部１３内に伸縮自在に支持されている。また、伸縮パイプ２０は、本体部１０の後面から後方に向けて引き出されるようになっている。本体部１０の側面に設けられたプッシュボタン２４ｅを押下することで、伸縮パイプ２０を前後方向に伸縮させることができる。また、使用者が掃除機本体１を使用している際に、伸縮パイプ２０が縮むことがないようにロック機構を備えている。なお、伸縮パイプ２０の伸縮機構およびロック機構についての詳細は後記する。
【００２５】
回転ハンドル３０は、使用者が手で握る部分であり、伸縮パイプ２０の先端部に回動自在に支持されている。また、回転ハンドル３０は、側面視において略長円形状且つ環状に形成されている。また、回転ハンドル３０は、スティック型として使用する際に使用者が手で握る部分となるグリップ部３０ｓと、ハンディ型として使用する際に使用者が手で握る部分となるグリップ部３０ｔと、を有している。
【００２６】
また、回転ハンドル３０は、操作ボタン３１ａ，３１ｂ（図３参照）を備えている。操作ボタン３１ａは、スティック型として使用する場合に操作され、グリップ部３０ｓの外面（図１の上面）に設けられている。操作ボタン３１ｂ（図３参照）は、ハンディ型として使用する場合に操作され、グリップ部３０ｔの外面（図２の上面）に設けられている。
【００２７】
操作ボタン３１ａは、スティック状態で使用されるものであり、「強」、「標準」、「切」の３つのボタンで構成されている。操作ボタン３１ｂは、ハンディ状態で使用されるものであり、ひとつのボタンで、「強」、「標準」、「切」がサイクリックに動作するように構成されている。このように、操作ボタン３１ｂをひとつのボタンで構成することで、スティック状態で使用した場合に操作ボタン３１ｂが間違って押される恐れを低減することができる。
【００２８】
図２は電気掃除機をハンディ型として使用する際の全体を示す左側面図である。なお、図２は、吸口体３（図１参照）に替えて、隙間ノズル４を装着した状態を示している。また、吸口体３や隙間ノズル４を装着せずに使用してもよい。
【００２９】
図２に示すように、伸縮パイプ２０は、該伸縮パイプ２０のほぼ全体が本体部１０内に収納されるようになっている。
【００３０】
パイプケース部１３は、前後方向に延在し、パイプケース部１３の後端部から前方に向けて伸縮パイプ２０が挿入され、パイプケース部１３の前端部に隙間ノズル４が接続される。
【００３１】
モータケース部１１は、パイプケース部１３の長手方向の略中央部から後方且つパイプケース部１３の下側に位置している。また、モータケース部１１の前方には、ダストケース２が設けられている。
【００３２】
蓄電池ケース部１２は、長手方向（前後方向）の略中央部から後方且つモータケース部１１の下側に位置している。
【００３３】
回転ハンドル３０は、伸縮パイプ２０の伸縮方向（前後方向）に回動自在に構成されている。また、回転ハンドル３０は、図２の側面視において、細長い形状の開口部３２を有する略トラック形状を呈している。この開口部３２は、伸縮パイプ２０をパイプケース部１３に収納し且つ回転ハンドル３０を伸縮パイプ２０の上側に重なるように折り畳んだときに、開口部３２の長手方向が伸縮パイプ２０の軸方向（伸縮方向）と平行になっている。
【００３４】
また、グリップ部３０ｓ，３０ｔには、開口部３２側の面に指固定凹部３２ａ，３２ｂが形成されている。これにより、掃除機本体１をハンディ型として、使用者がグリップ部３０ｔを把持した場合、指固定凹部３２ａに指を掛けて使用できる。また掃除機本体１をスティック型として（図１参照）使用者がグリップ部３０ｓを把持した場合、指固定凹部３２ｂに指を掛けて使用できる。これにより、回転ハンドル３０をしっかりと握ることができる。また、グリップ部３０ｓ，３０ｔ内において前後に位置を変えることができるように、指固定凹部３２ａ，３２ｂが前後の２ケ所に形成されている。また、回転ハンドル３０の表面は、使用者が手で持ちやすいよう熱可塑性樹脂等の柔らかい素材で構成されていてもよい。
【００３５】
回転ハンドル３０は、細長く形成された開口部３２の周囲にグリップ部３０ｓ，３０ｔを有し、伸縮パイプ２０が本体部１０におけるパイプケース部１３に収納され且つ回転ハンドル３０が伸縮パイプ２０側に回動した状態で、開口部３２は、電動送風機４０の略上方向に位置する。また、伸縮パイプ２０が本体部１０におけるパイプケース部１３に収納され且つ回転ハンドル３０が伸縮パイプ２０側に回動した状態で、開口部３２は、蓄電池（蓄電装置）６０（図３参照）の略上方向に位置する。
【００３６】
図３は図２に示す掃除機本体の中央断面図である。なお、図３は、掃除機本体１に吸口体３および隙間ノズル４が装着されていない状態を図示している。
【００３７】
図３に示すように、本体部１０のモータケース部１１には、電動送風機４０が収容されている。また、モータケース部１１内には、電動送風機４０を固定するための固定ケース１１ａが設けられている。固定ケース１１ａ内には、電動送風機４０の後方に、掃除機本体１を制御する本体基板５０（制御基板）が固定されている。この固定ケース１１ａを覆う形でモータケース部１１が構成されている。
【００３８】
電動送風機４０は、回転駆動軸４０ａが伸縮パイプ２０の下方において伸縮パイプ２０と平行となるように配置されている。また、電動送風機４０から排出された空気は、電動送風機４０の後方に配置された本体基板５０に流れて、本体基板５０を冷却するようになっている。
【００３９】
本体基板５０は、上下に分割して配置され、対向する面に部品が実装されている。電動送風機４０から排出された空気のほとんどは、各本体基板５０の対向配置された部品（発熱部品）を冷却するように流れる。
【００４０】
また、電動送風機４０は、電気掃除機１００をハンディ型として使用する場合、回転ハンドル３０の開口部３２の長手方向（前後方向）の長さＳ１が、電動送風機４０の長手方向（前後方向）の長さと、本体基板５０の長手方向の長さと、を合わせた長さと略等しくなるように構成されている。これにより、電気掃除機１００をハンディ型として使用する際に、使用者が持つグリップ部３０ｔの下方に電動送風機４０および本体基板５０が位置するので、電気掃除機１００の重心Ｇａ（図２参照）がグリップ部３０ｔに近くなり、ハンディ型の形態でも持ち易い電気掃除機１００を実現できる。
【００４１】
本体部１０には、本体基板５０の後方に、本体ＬＥＤ５１を備える。本体ＬＥＤ５１は、赤と緑の２色を点灯することができ、掃除機本体１の運転状態や蓄電池６０の充電状態の表示ができる。また、本体ＬＥＤ５１の色数は１色や２色以上でもよく、点灯や点滅との組み合わせによって、蓄電池６０の充電完了状態や掃除機本体１の運転エラー状態を表示してもよく、また意匠として点灯または点滅してもよい。
【００４２】
本体部１０の蓄電池ケース部１２には、蓄電池６０が収容され、蓄電池６０が電動送風機４０の下方に隣接するように配置されている。この蓄電池６０は、リチウムイオン電池やニッケル水素電池など充電可能なもので構成されている。また、蓄電池６０は、電気掃除機１００をハンディ型として使用する場合、回転ハンドル３０の開口部３２の長手方向の範囲Ｓ１が、蓄電池６０の長手方向（前後方向）の長さと略等しくなるように構成されている。ここで、本実施形態における蓄電池６０とは単電池を複数用いてパックした組電池である。なお、使用条件等によっては単電池でも良い。これにより、電気掃除機１００をハンディ型として使用する際に、使用者が持つグリップ部３０ｔの下方に蓄電池６０が位置するので、電気掃除機１００の重心Ｇａがグリップ部３０ｔに近くなり、ハンディ型の形態でも持ち易い電気掃除機１００を実現できる。
【００４３】
なお、蓄電池６０は、前記したように電動送風機４０の下方に配置する構成だけではなく、開口部３２の下方に位置しており、長手方向の長さＳ１に略等しくなる構成であれば、電動送風機４０の周りを囲むように配置してもよいし、また電動送風機４０の下方に配置する構成と電動送風機４０の周りを囲む構成とを組み合わせて配置してもよい。また、本体基板５０は、蓄電池６０の配置によって、固定ケース１１ａの上面や側面、下面に設けてもよい。
【００４４】
ダストケース２は、サイクロン方式のものであり、モータケース部１１の前方に配置され、略円柱形状を呈している。また、ダストケース２の前端がパイプケース部１３に形成されたダストケース固定突起１３ａと嵌合し、ダストケース２の後端がスライド自在に構成されたロックボタン１１９によって蓄電池ケース部１２と係合してロックされる。
【００４５】
伸縮パイプ２０は、アルミ合金など軽量の金属パイプ２１と、この金属パイプ２１の先端部２１ａ（図３の後端）から挿入される樹脂パイプ２２と、金属パイプ２１の基端（図３の前端）から挿入される樹脂パイプ２３と、を備えている。
【００４６】
金属パイプ２１は、パイプケース部１３の前後方向の長さと略等しくなる長さで形成されている。また、金属パイプ２１には、軸方向（伸縮方向）に沿って、間隔を空けて複数のピン受け孔２１ｂ，２１ｂ，２１ｂ，２１ｂが形成されている。
【００４７】
樹脂パイプ２２は、ねじ２２ａを介して金属パイプ２１に固定されている。また、樹脂パイプ２２には、ピン受け孔２１ｂと重なる位置に逃げ孔２２ｂが形成されている。
【００４８】
樹脂パイプ２３内には、らせん状に形成されたカールコード２３ａが挿入されている。また、樹脂パイプ２３には、ピン受け孔２１ｂと重なる位置に貫通孔２３ｂが形成されている。カールコード２３ａの前端は、パイプケース部１３の前端に設けられた端子（不図示）と電気的に接続され、後端が公知の方法により本体基板５０および蓄電池６０と電気的に接続されている。
【００４９】
本体部１０には、モータケース部１１とパイプケース部１３との境界に、伸縮パイプ２０の長さを段階的に固定するパイプロック機構２４が設けられている。また、本体部１０のパイプケース部１３の上面には、電気掃除機１００をハンディ型として使用する際に、回転ハンドル３０の前端をクランプするハンドルクランプ２５（クランプ手段）が設けられている。操作ボタン３１ｂは、ハンディ型として使用する際に、上向きとなり、容易に電源の入り切りが可能となる。
【００５０】
図４は図１のＡ方向矢視図である。図４は、伸縮パイプ２０を最大に伸ばした状態を示している。
【００５１】
図４に示すように、金属パイプ２１には、軸方向（伸縮方向、前後方向）に沿って、間隔を空けて複数のピン受け孔２１ｂが形成されている。このピン受け孔２１ｂは、金属パイプ２１に対して下向きに開口しているので、使用時に金属パイプ２１内に水などの液体が浸入したり、塵などが侵入するのを防止できる。
【００５２】
図５は図２のＢ−Ｂ断面図を示し、伸縮パイプ２０のロック状態を示す図である。図６は図２から伸縮パイプ２０のロックを解除した状態のＢ−Ｂ断面図である。なお、パイプロック機構２４は、左右対称形状であるので、以下では、右側のパイプロック機構２４を参照しながら説明する。
【００５３】
図５および図６に示すように、パイプロック機構２４は、基部２４ａと、この基部２４ａ上において上下方向に動作する可動部２４ｂと、可動部２４ｂを上方に付勢するロックばね２４ｃと、可動部２４ｂと一体に動作する固定用のピン２４ｄと、可動部２４ｂを下方に押し下げるプッシュボタン２４ｅと、を備えて構成されている。
【００５４】
基部２４ａは、モータケース部１１の上部に固定され、ピン２４ｄを挟んで左右に、ロックばね２４ｃの下端を支持する凸部２４ａ１が形成されている。
【００５５】
可動部２４ｂは、ロックばね２４ｃの上端が挿入される凹部２４ｂ１が前記凸部２４ａ１と対向する位置に形成されている。また、可動部２４ｂには、プッシュボタン２４ｅと対向する位置にテーパ部２４ｂ２が形成されている。
【００５６】
ロックばね２４ｃは、凸部２４ａ１と凹部２４ｂ１との間に介装され、可動部２４ｂを常に上方に付勢している。
【００５７】
ピン２４ｄの下端部は、可動部２４ｂによって保持され、可動部２４ｂと一体に動作するようになっている。また、ピン２４ｄは、パイプケース部１３に形成されたピン保持孔１３ｂ内を摺動しながら案内される。また、ピン２４ｄはパイプケース部１３の内部に構成されているため、外観から見えなくなり、高い意匠性を得ることができる。
【００５８】
プッシュボタン２４ｅは、パイプケース部１３の側面から突出している。また、プッシュボタン２４ｅの内面には、可動部２４ｂのテーパ部２４ｂ２と摺動するテーパ部２４ｅ１が形成されている。
【００５９】
このように構成されたパイプロック機構２４では、図５に示すように、プッシュボタン２４ｅが操作されていない場合には、ロックばね２４ｃの弾性復帰力によって可動部２４ｂが上方に押し上げられることで、ピン２４ｄが上昇して伸縮パイプ２０のピン受け孔２１ｂに挿入されている。このため、使用者が電気掃除機１００を使用している際に伸縮パイプ２０の長さが変わるのを防止している。
【００６０】
そして、図５に示す状態において、例えば、左側（図示右側）のプッシュボタン２４ｅを右方向（図示左方向）に押し込むと、プッシュボタン２４ｅのテーパ部２４ｅ１が可動部２４ｂのテーパ部２４ｂ２を摺動する。このとき、プッシュボタン２４ｅの押し込み力によって、可動部２４ｂがロックばね２４ｃの付勢力に抗して押し下げられることで、図６に示すように、ピン２４ｄがピン受け孔２１ｂから抜け出る。これにより、伸縮パイプ２０を伸縮させることが可能になる。
【００６１】
また、ピン２４ｄがピン受け孔２１ｂから抜け出ると、ピン２４ｄがロックばね２４ｃによって付勢されているので、伸縮パイプ２０が移動して、ピン２４ｄの位置がピン受け孔２１ｂと一致したときに、ピン２４ｄがピン受け孔２１ｂに挿入され、伸縮パイプ２０がロックされる。
【００６２】
また、プッシュボタン２４ｅをパイプケース部１３の左右両側に設けることで、使用者が右利きであっても左利きであっても、プッシュボタン２４ｅを容易に操作でき、伸縮パイプ２０の伸縮動作を容易にできる。また、プッシュボタン２４ｅを左右両側に設けて、両側のプッシュボタン２４ｅを押すことで、片持ちにならずにピン２４ｄをまっすぐ下げることができる。
【００６３】
図７は図３から伸縮パイプ２０を伸ばした状態のＣ部詳細図である。また、図８は図７のＤ−Ｄ断面図、図９は図７のＥ−Ｅ断面図である。図１０は図３のＣ部詳細図である。また、図１１はＦ方向矢視図である。
【００６４】
パイプケース部１３を構成するパイプケース１３ａは中空の略パイプ形状となっており、パイプケース１３ａの内側には前側から後側の間に内径が狭まる段差部１３ｃを設け、伸縮パイプ２０を伸ばすと樹脂パイプ２３に設けた突起部２３ｃが前後方向で段差部１３ｃに当接し伸縮パイプ２０がパイプケース部１３から抜けることを防止する。
【００６５】
また、樹脂パイプ２３に設けた突起部２３ｃ、２３ｄがそれぞれパイプケース１３ａの内側に当接することで、回転ハンドル３０が伸縮パイプ２０を軸に回転してしまうことを防止する。
【００６６】
図８に示すように、パイプケース１３ａにおける段差部１３ｃのある箇所をパーティングラインＰ線とする。パイプケース１３ａは樹脂材料で形成しており、製造上、、段差部１３ｃのあるパーティングラインＰ線の前後方向にそれぞれ抜き勾配が必要となる。抜き勾配により、パイプケース１３ａの内径は、パーティングラインＰ線の前後方向にいくにつれ大きくなる。また、伸縮パイプ２０は略円筒状である。そのため、パイプケース１３ａの前後端面部では伸縮パイプ２０との隙間が大きくなる。
【００６７】
パイプケース１３ａの抜き勾配によって伸縮パイプ２０とパイプケース１３ａには、上下方向・左右方向・回転方向にそれぞれがたつきが発生するおそれがある。電気掃除機１００を操作する際に伸縮パイプ２０ががたつくと、回転ハンドル３０が動いてしまい、使い勝手が悪くなる恐れがある。
【００６８】
伸縮パイプ２０がパイプケース１３ａに対して上下方向・左右方向にがたつかないためには、伸縮パイプ２０と、パイプケース１３ａの内壁のうち、前後方向に可能な限り離れた位置にある２点を固定させる必要がある。円環状の部品であるパイプリング２６を設けることにより、伸縮パイプ２０がパイプケース１３ａに対して上下方向・左右方向にがたつくことを抑制することができる。図１２にパイプリング２６の斜視図を示す。以下、パイプリング２６について説明する。
【００６９】
パイプリング２６は、パイプケース１３ａの後方部に内装され、かつ、金属パイプ２１が貫通するように配置される。パイプリング２６は、伸縮パイプ２０のロックがはずれている状態のときはパイプケース１３ａ内のＳ２の範囲を前後方向に自由に動く。また、パイプリング２６の外周面はパイプケース１３ａ内壁よりも小さく、かつ複数の突起２６ｃを設けることにより、パイプリング２６の外周とパイプケース１３の内壁との間に十分に隙間があり、かつ複数の突起２６ｃがパイプケース１３ａ内壁と接触することになるため、接触しても接触面積が小さいことによって、パイプリング２６が伸縮パイプ２０の動きに伴って移動しても、伸縮パイプの動作に影響はなくスムーズに伸縮できる。パイプリング２６において、パイプリング２６と金属パイプ２１が接触する部分はフェルト材で形成したパイプリングパッキン部２６ａが設けられており、パイプリングパッキン部２６ａにより、伸縮の際の金属パイプ２１とのこすれでパイプリング２６が磨耗することを防止することができる。
【００７０】
図７のように伸縮パイプ２０を伸ばした状態のとき、図９のように樹脂パイプ２３の突起部２３ｃと２３ｄがパイプケース１３ａのパーティングライン上に移動するため、回転方向のがたつきは防止でき、前後方向・左右方向についても伸縮パイプ２０の前側１点は固定される。パイプリング２６は樹脂パイプ２３を金属パイプ２１に固定しているピース２７と当接して、図７の位置（Ｓ２のうち最も後側の位置）まで移動し、さらにパイプリング２６に設けた突起２６ｂが本体部１０の壁面と当接することで、略５度傾いた状態で固定される。
【００７１】
パイプリング２６が傾くことにより、パイプリング２６の外周面がパイプケース部１３の内壁と当接し、さらにパイプリング２６の内壁面のパイプリングパッキン部２６ａが押しつぶされることにより、伸縮パイプ２０の後側の２点目が固定される。これによって伸縮パイプ２０を伸ばした状態での最大距離の２点（パイプケース１３ａのパーティグライン部と、Ｓ２の最も後側の位置）を固定でき、がたつきを防止することができる。
【００７２】
図１０のように伸縮パイプ２０を縮めた状態のとき、ハンドル機構部３３に設けたハンドルパイプ部３３ａがパイプケース部１３内に入り込む構造となっている。ハンドルパイプ部には円筒形状の一部に凸形状３３ｂを設け、パイプケース１３ａには凸形状３３ｂが入る切欠形状を設けることにより、図１１のようにハンドルパイプ部３３ａの凸形状３３ｂとパイプケース１３aの内壁が当接し、回転方向のがたつきを防止し、後側１点は固定される。パイプケース１３ａにおけるパーティングライン部と伸縮パイプ２０の当接部Ｑが前側の固定部となり、がたつきを防止することができる。このとき、パイプリング２６がハンドルパイプ部３３ａと当接し、図１０の位置(Ｓ２のうち最も前側の位置)に移動することによって、ハンドルパイプ部３３ａの凸形状３３ｂは、Ｓ２分の長さを確保することができ、ハンドルパイプ部３３ａとパイプケース１３ａの当接部は十分に長い距離を確保できる。
【００７３】
なお、本発明は前記した実施形態に限定されるものではなく、本発明の趣旨を逸脱しない範囲において種々変更することができる。例えば、回転ハンドル３０の回転機構部３３において、図１に示すスティック状態と図２に示すハンディ状態の２形態に限定されるものではなく、ハンディ状態とスティック状態の中間の状態で使用できるようにしてもよい。
【００７４】
また、伸縮パイプ２０は、回転ハンドル３０の操作ボタン３１ａ、３１ｂと本体基板５０との接続のためのリード線を内部に収納しているため中空のパイプ形状としているが、この限りでない。リード線を外に位置する、または本体部１０に操作ボタンを配置することで、伸縮パイプ２０をパイプ形状とする必要がなく、パイプケース部１３との組み合わせで伸縮するものであれば良く、例えば単に棒形状であってもよい。また、本体部１０、伸縮パイプ２０、回転機構部３３、回転ハンドル３０がこの順番で記載されているが、この限りでない。例えば、本体部、回転機構部、伸縮パイプ、回転ハンドルの順とし、伸縮パイプ２０を回転ハンドル内に収納、本体部に対して回転とする機構でも良い。
【符号の説明】
【００７５】
１      掃除機本体
２      ダストケース
３      吸口体
１０    本体部
１３    パイプケース部
２０    伸縮パイプ
２６    パイプリング
３０    回転ハンドル
４０    電動送風機
５０    本体基板（制御基板）
６０    蓄電池（蓄電装置）
１００  電気掃除機
Ｇａ    重心
【図１】
2016150172.tif 000003
【図２】
2016150172.tif 000004
【図３】
2016150172.tif 000005
【図４】
2016150172.tif 000006
【図５】
2016150172.tif 000007
【図６】
2016150172.tif 000008
【図７】
2016150172.tif 000009
【図８】
2016150172.tif 000010
【図９】
2016150172.tif 000011
【図１０】
2016150172.tif 000012
【図１１】
2016150172.tif 000013
【図１２】
2016150172.tif 000014